(57)【要約】      （修正有）【課題】犯罪現場等で、相手の身体を包み、効果的に抑制できるさすまたを提供する。【解決手段】長柄１とふたまた部２と該ふたまた部内部より突出動作可能な掛け金部１０を備えた可動腕５と、突出用圧縮バネ６の押圧により突出した時脱落を防止する突出孔を設けた誘導腕７を左右対称につくる。長柄とふたまた部は、施錠爪１３及び、施錠バネ１４を備えた補強金具３を用いてＹ字形に組立て、ふたまた部内部へ圧縮バネと可動腕を収納し先端へ誘導腕を左右対称に取付ける。次に補強金具外部前面より施錠爪と作動板８を接続するシャフト９を個々貫通孔より通しビス１５及びボルト１７で組立て最後に補強金具の蓋４をビス１９にて取付ける。使用時は、抑制すべき相手の身体をふたまた部内で確保した時点で作動板へ圧力を加えれば、シャフトを介し施錠が解錠され可動腕が突出して相手の身体を包み身柄拘束を可能とする。【選択図】  図１
2006329602.tif 000002
【特許請求の範囲】
【請求項１】
金属製パイプの長柄及びふたまた部位からなり、長柄取付け部分を中心として、ふたまた部内部へ掛け金部を設けた突出動作可能な可動腕と、可動腕を常に前方へ押圧し突出させる圧縮バネを左右対称に収納して、該取付け部補強金具内部には、可動腕収納用施錠爪と、施錠状態を維持する施錠バネ及び、施錠爪と取付け補強金具外部前面に設けられた作動板を接続するシャフトによって構成されており、作動板に押圧が加えられた時点にシャフトを介し、施錠爪が掛け金部より外れ施錠状態を解錠して、ふたまた部内の可動腕が圧縮バネの押圧によりふたまた部先端より突出することを特徴とする可動腕さすまた。
【請求項２】
２本の可動腕を、突出動作させるための取付け部補強金具内部の施錠機構部を、補強金具外部前面に設けられた作動板に押圧が加えられた場合、接続するシャフトを介し、解錠することを特徴とする請求項１に記載の可動腕さすまた。
【発明の詳細な説明】
【技術分野】
【０００１】本発明は、さすまたの、ふたまた部分内部に収納された可動腕を、圧縮バネの押圧を利用して、Ｙ字形に組立てた基部に配置された作動板に押圧が加えられた場合、可動突出できるようにして、犯罪現場等に於いて抑制すべき相手の身柄拘束を、迅速且つ確実に行うことを目的に発明されたものである。
【背景技術】
【０００２】従来のさすまたは、抑制すべき相手の身柄を拘束しようとする場合、ふたまた部分が固定式のため、一旦拘束した相手も比較的自由な行動と逃走することが可能であり、第２第３の犯罪若しくは犠牲者を生む可能性があった、或いは、未使用時またの部分が直線をなし、１本の棒状で先端部に被着したカバーを取り除いたとき、スプリングの押圧により２本のアームがふたまた状に開く構造のものがある、（例えば、特許文献１参照）本発明は、ふたまたのパイプ内部に収納された可動腕が、Ｙ字形に組立てた基部に配置された作動板に押圧が加えられた場合、シャフトを介し施錠爪が可動開放され圧縮バネの押圧により突出して、相手の身体を拘束し所要の警備行動が迅速に行える構造のものであり、他に比較する技術はないものである。
【特許文献１】特開２００１−１８３０９１号公報（第２頁、図１）
【発明の開示】
【発明が解決しようとする課題】
【０００３】従来のさすまたは、抑制すべき相手を拘束しようとする場合、ふたまた部分が固定式で前部が開放状態のため確実に拘束するには不向きであり、また、凶器等を所持した相手に相対する場合多人数が必要とされていた、初動時少人数に於いても抑制すべき相手をふたまた部パイプ内部より突出する可動腕により、相手の身体を包み効果的に抑制できるようにする。
【課題を解決するための手段】
【０００４】本発明は、上記事情により鑑みてなされたもので、金属製パイプにより、ふたまた部本体と長柄及び各種部品を製作して、ふたまた部と長柄をＹ字形に組立てる、ふたまた部パイプ内部へ突出用圧縮バネと、掛け金部を設けた突出動作可能なパイプ製可動腕を左右対称に収納する、収納された可動腕は、ふたまた取付け部に構成された施錠爪と、施錠バネの押圧によって施錠爪が掛け金部にかかり施錠固定をされる、また、施錠爪は、ふたまた部取付け補強金具外部の作動板とシャフトによって接続され、抑制すべき相手をふたまた部内で確保した時点で相手の身体を利用して、作動板に押圧を加えればシャフトを介し施錠爪が解錠され、ふたまた部内部より圧縮バネの押圧によって可動腕が突出して、相手の身体を包み、行動の自由を奪い効果的に抑制できるものである。
【発明の効果】
【０００５】このようにすれば、凶器等を所持した抑制すべき相手に対し、初動時に於いて、少人数または、比較的非力な人でも相手の自由を抑制することが可能となり、迅速な事件解決と安全にも貢献するものである。
【発明を実施するための最良の形態】
【０００６】本発明は、犯罪現場等に於いて、抑制すべき相手に対し、所要の警備行動が迅速且つ、安全に行えるよう考慮されたものである。それを図面について説明すれば、アルミニウム、ステンレス及びスチール等により、軽量で強靭な各種本体及び部品を製作する、製作した金属製パイプの長柄１上部先端へ同じく金属製パイプのふたまた部２中心下面をＹ字形に取付ける、更に強固な構造とするため補強金具３により取付け補強をする、次に、左右対称の掛け金部１０を設けた金属製の可動腕５内部へ可動腕突出用圧縮バネ６をバネストッパー１１位置まで挿入して組立てる、組立てた可動腕５をふたまた部２内部先端より突出用圧縮バネ６がバネ留め１２に当たる位置まで組込み、ふたまた部２先端へ可動腕５が突出した場合脱落防止を兼ねた誘導腕７を左右対称に取付ける、また、取付け部補強金具３内部の長柄１部分に施錠バネ１４と、施錠爪１３を取付け位置に配置するとともに、補強金具３及び、ふたまた部２のシャフト用貫通孔よりシャフト９を施錠爪１３、施錠バネ１４、バネ受け１８を介しビス１５を用いて組立てる、組立てられたシャフト９上部へ補助バネ１６を備えた作動板８をボルト１７により強固に取付けをし、最後に補強金具３の蓋４をビス１９により、ナット式ビス穴２０へ固定をする。以上のように組立てた可動腕さすまたは、施錠爪１３先端が施錠バネ１４と補助バネ１６の押圧により、可動腕掛け金１０を完全に施錠して保管できるものであり、使用時は、抑制すべき相手の身体へ作動板８を押圧すれば、圧力により施錠爪１３が掛け金部１０より外れ、可動腕５が突出用圧縮バネ６の押圧によって、ふたまた部２パイプ内部より、誘導腕７の突出孔より突出して、相手の身体を包み確実に拘束できるものである。また、収納時は、上記の如く可動腕をふたまた部内部へ押圧すれば、自動的に施錠バネの押圧効果により、施錠爪が掛け金部にかかり、施錠して収納できるものである。
【図面の簡単な説明】
【０００７】
【図１】可動腕さすまたの斜視図である。
【図２】可動腕さすまたの平面図、正面図、取付け部断面図である。
【図３】可動腕さすまたの断面図、及び、内部構成図である。
【符号の説明】
【０００８】１    長柄
２    ふたまた部
３    補強金具
４    蓋
５    可動腕
６    圧縮バネ
７    誘導腕
８    作動板
９    シャフト
１０  掛け金
１１  バネストッパー
１２  圧縮バネ留め
１３  施錠爪
１４  施錠バネ
１５  ビス
１６  補助バネ
１７  ボルト
１８  バネ受け
１９  ビス
２０  ナット式ビス穴
【図１】
2006329602.tif 000003
【図２】
2006329602.tif 000004
【図３】
2006329602.tif 000005